(57)【要約】      （修正有）【課題】エンジンの可動状態は、安定し、パワーは増大し、燃費は減少し、無駄なガソリンの放出を改善する直線平面嵌入式多極高能量貴金属点火プラグを提供する。【解決手段】磁器絶縁体３の端部面に直線上等距離に埋め込まれた１つの貴金属中心電極８および２つの貴金属側電極９と、これらと同一直線上にあり、点火プラグ外郭４のねじ山端部に溶接する１つの貴金属電極９とで、直線上等距離にある４つの貴金属電極を形成する。【効果】瞬時にそして同時に３つの点火エネルギーを生み出す。同時に、熱室容積を取り除き、ブロード熱値の特徴を持つ。この型の点火プラグは、４つ以上の異なった熱値のプラグと取って代わることができる。【選択図】図１
2008198587.tif 000002
【特許請求の範囲】
【請求項１】
直線平面嵌入式多極高能量貴金属点火プラグは、配線ナット（１）、配線ボルト（２）、周辺装置の磁器絶縁体（３）及び外殻（４）を含める。外殻（4）の周辺に外ワッシャー（５）があって、磁器絶縁体（３）と外殻（４）の間に内ワッシャー（７）がある。その特徴は次のとおりだ：磁器絶縁体の小さい端面の貴金属中心部電極（８）は規定の長さで磁器絶縁体の加工できた孔に埋め込み、規定の長さでの貴金属の側電極は2本（９）も磁器絶縁体の加工できた孔に埋め込み。そして、この3本の貴金属電極は直線等距離で、高温の粉末冶金を通じて磁器絶縁体と貴金属中心部電極と貴金属側電極を１つの全体にならせて、その高さを1mmの範囲内に維持する。
【請求項２】
請求項１の述べる点火プラグによって、その特徴は次のように：点火プラグ外殻のねじ山端面に規定長さの貴金属側電極（９）を溶接する。この貴金属側電極と磁器絶縁体の貴金属側電極を直線等距離にする。
【発明の詳細な説明】
【技術分野】
【０００１】
当発明は広範にエンジン（ガソリン、天然ガス、液化ガスなどを使って、電子点火が必要の各類エンジンを含む）点火システムに応用する重要な電器部品に関連すのもので、特にエンジンの安定の運行、燃費の下がり、排気の排出などに対して重大な影響のある点火プラグだ。
【背景技術】
【０００２】
点火プラグ普通は配線ナット、配線ボルト、磁器絶縁体、密封材料、中心電極、外殻、内ワッシャー、外ワッシャー、側電極などで構成する。1902年の誕生から今まで点火プラグはもう百数年の歴史をもっている。
【発明の開示】
【発明が解決しようとする課題】
【０００３】
しかし、点火プラグの点火器は２つ以上の点火エネルギーを同時に生むところまでまだ発展していない。今各種の単極、多極の点火プラグあるいはその他の形式の点火プラグは皆中心電極と１つあるいは多数の側電極の間で１つあるいは多数の電極の隙間を形成するので、電極の最近パンクチュアする原理から、現在の各種の点火プラグが瞬間と多数の点火エネルギーを同時に生むことができないことを決定した。
【課題を解決するための手段】
【０００４】
当発明は1種の点火プラグを提供する。この点火プラグはエンジン点火が必要の点火エネルギーを生むことができるだけでなくて、その上瞬間と3つの点火エネルギーを同時に生むことができる、それによってエンジン内の石油混合ガスの燃焼は更に十分にさせる、それからエンジンの運行の安定、仕事率の増大、燃費の下がりができて、排気の排出も明らかに改善することができる。
【０００５】
当発明の技術方案は次のとおり：点火プラグの磁器絶縁体の小さい端面に3本の直線、等距離の貴金属電極を埋め込んで、3本の貴金属電極を含む磁器絶縁体を高温粉末冶金した後に、この3本の貴金属電極が堅固に磁器絶縁体の中に固定する。しかしその中の1本の貴金属電極の頭部は電気伝導の密封材料に伸ばして配線ボルトと通じ合っていて中心電極になる。点火プラグ外殻のねじ山端面に1本の貴金属電極を溶接して磁器絶縁体の残る1本の貴金属電極とに向かい合って磁器絶縁体の3本のプラチナの電極と1直線になる。
【０００６】
点火プラグの完成品を組立てた後、点火プラグのイグニション端で直線、等距離の4本の貴金属電極を形成する。高圧の電源が配線ボルトにつなぐ時は、導体の密封材料と貴金属中心部電極を通って、点火プラグのイグニション端は瞬間と3つの点火エネルギーを同時に生むことができる。貴金属電極の抵抗は小さくて、電気伝導の性能は良くて、点火ネルギーは大きくて、石油混合ガスの燃焼は十分になる。これによってエンジンの良い運行状況と高仕事率をするように促す。そしてエンジンの良い運行状況と高仕事率は燃費を大きく下げるのができる。排気ガスの排出状況も明らかに改善する。
【０００７】
また、当発明はその他の同類製品が備えない重大な特徴―“ブロード熱値”がある。点火プラグはすべて一定の容積の“熱室容積”がある。異ったエンジンは異った熱値の点火プラグを使用して、でなければエンジンは正常に運行できなくて、点火プラグの品種数に大く増加させる。当発明は創造的に“熱室容積”を取り消す。私達は実験によって、当発明の1種の点火プラグが4種類以上の異った熱値の点火プラグに取って代わることができると証明した。これは点火プラグの生産にも使用にも対して皆重大な意義がある。
【発明を実施するための最良の形態】
【０００８】
〔挿し絵の説明〕
次に挿し絵とにらみ合わせて当発明をいっそう説明する。
【０００９】
挿し絵1は“直線平面嵌入式多極高能量貴金属点火プラグ”の切断面の構造図だ。
【００１０】
図2は図1のA所の拡大ものだ。
【００１１】
図3は図１の正投影図だ。
【００１２】
挿し絵：1-配線ナット、2-配線ボルト、3-磁器絶縁体、4-外郭、5-外ワッシャー、6-電気伝導の密封材料、7-内ワッシャー、8-貴金属中心部電極、9-貴金属側電極。
【００１３】
〔具体的な実施方法〕
図1の中で、磁器絶縁体の小さい端で前もって作りできた直線等距離の孔に規定長さの貴金属中心部電極8および磁器絶縁体の2本の貴金属側電極9を埋め込んで（電極8と電極9の仕込み長さは5.1mmで、公差は±0.10mm以内にして）、それをいっしょに1650°C高温のストーブに入れて１つの全体に焼結する。焼結後の貴金属電極の高さがきっと1mm以内だと保証する。現在使っている貴金属はプラチナだ。貴金属電極を嵌入していた磁器絶縁体を作りできた後、それに電気伝導の密封材料6、配線ボルト2を入れて、そして外装粉末冶金炉に入れて粉末冶金した後に絶縁体の部品を形成した。外殻のねじ山端面に1本の貴金属側電極を溶接する。溶接する前にきっと溶接位置を確定して、溶接できた貴金属側電極と磁器絶縁体の貴金属側電極が直線になって0.6 mm（±0.10mm以内）の電極隙間があることを保証する。外殻に貴金属側電極を溶接できて電気めっきをした後、内ワッシャー7、外ワッシャー5、配線ナット1を入れて完成品の組立てを行って点火プラグの製品にる。
【図面の簡単な説明】
【００１４】
【図１】“直線平面嵌入式多極高能量貴金属点火プラグ”の切断面の構造図だ。
【図２】図1のA所の拡大ものだ。
【図３】図１の正投影図だ。
【符号の説明】
【００１５】
１    配線ナット
２    配線ボルト
３    磁器絶縁体
４    外郭
５    外ワッシャー
６    電気伝導の密封材料
７    内ワッシャー
８    貴金属中心部電極
９    貴金属側電極
【図１】
2008198587.tif 000003
【図２】
2008198587.tif 000004
【図３】
2008198587.tif 000005